(57)【特許請求の範囲】
【請求項１】
主として吸汗に用いる背当て布であり、該背当て布の上辺２箇所に引寄せ中継具を有し、該上辺の片方の先端に一方の端が取り付けられた紐が２個の該引寄せ中継具を通って、該上辺のもう一方の先端まで達して固定され、該紐が固定されている地点と該引寄せ中継具の立ち上り地点との間に復元性のある柔軟な芯が配置されており、該紐が引かれたとき該芯の先端は該引寄せ中継具に到達するまで撓み、該紐への引きが解除されたとき該芯は直線状態に復帰することを特徴とする、背当て布。
【発明の詳細な説明】
【技術分野】
【０００１】
背当て布に関する
【背景技術】
【０００２】
特許文献１によると、汗による下着の濡れに対応するため紐で首から垂らして汗を吸い取らせる作用がある点において、本発明と類似する。
【０００３】
特許文献1では、吸湿布袋に紐が繋がっている。一方、本発明は首まわりに置かれる紐が繋がっている背当て布は、引寄せ中継具を備え、ずれに対応する修復機構を有している。そのため特許文献１と本発明は、態様、機能において異なる。
【０００４】
特許文献２によると、発汗によるシャツの濡れを布を用いて防止し、頭部を通過させる方法で着脱する点において、本発明と類似する。
【０００５】
特許文献２では、布製のタオル本体に頭部を通過させる孔を設けている。一方、本発明は首まわりに置かれる紐が繋がっている背当て布は、引寄せ中継具を備え、ずれに対応する修復機構を有している。そのため特許文献２と本発明は、態様、機能において異なる。
【０００６】
特許文献３によると、背中の発汗と衣類の濡れに対応する背当の布であり、頭から外して上方へ引き出す方法において、本発明と類似する。
【０００７】
特許文献３では、首周り用タオルが背あて用タオルと縫合されている。一方、本発明は首まわりに置かれる紐が繋がっている背当て布は、引寄せ中継具を備え、ずれに対応する修復機構を有している。そのため特許文献３と本発明は、態様、機能において異なる。
【０００８】
特許文献４によると、汗とり用下着であり、上に着た衣服を脱ぐことなく脱ぐことができる点において、本発明と類似する。
【０００９】
特許文献４では、右肩対応部と左肩対応部が背対応部に連結形成されている。一方、本発明は首まわりに置かれる紐が繋がっている背当て布は引寄せ中継具を備え、ずれに対応する修復機構を有している。そのため特許文献４と本発明は、態様、機能において異なる。
【先行技術文献】
【特許文献】
【００１０】
【特許文献１】実開平６−７０６９５公報（第２頁、第３頁）
【特許文献２】特開平１１−２８５４５５公報（第２頁、第３頁）
【特許文献３】特開２００６−１０２４５１公報（第２頁、第４頁）
【特許文献４】実用新案登録３１２３３８６号公報（第３頁、第１０頁）
【発明の概要】
【発明が解決しようとする課題】
【００１１】
特に夏の日中に外出すると、発汗により下着を濡らすことがあり不快である。そのままの状態で冷房の効いた施設や電車などに入ると、濡れた下着が冷やされて健康を害することもある。かかる事態を回避するために下着を脱ぐなどできればよいが、外出時に実行することは容易ではない。また上半身の前面の胸部であれば首もとから手を入れて汗を拭うことが可能であるが、着衣のままでは背中に対応するすべがない。
【００１２】
そのため事前に背中に布を当てておいて、汗をかいたときにはそれを襟首から引き抜き取れれば効果があるが、下着と背中の間に吸汗用の布を当てることは一人で行うには困難である。
【００１３】
例え手助けされて布を背中に当てることができたとしても、背中に当てられた布は容易にずれ、動いたときには、自然に落下してしまう。そのために背中を全面的に吸汗することができなくなることがある。
【００１４】
また、背中で生じたずれを着衣のままで修復することは困難である。
【００１５】
本発明は、上記課題を一括して解決できる背当て布を提供することを目的としている。
【課題を解決するための手段】
【００１６】
上記課題を解決するために、請求項１の発明は、主として吸汗に用いる背当て布であり、該背当て布の上辺２箇所に引寄せ中継具を有し、該上辺の片方の先端に一方の端が取り付けられた紐が２個の該引寄せ中継具を通って、該上辺のもう一方の先端まで達して固定され、該紐が固定されている地点と該引寄せ中継具の立ち上り地点との間に復元性のある柔軟な芯が配置されており、該紐が引かれたとき該芯の先端は該引寄せ中継具に到達するまで撓み、該紐への引きが解除されたとき該芯は直線状態に復帰することを要旨とする。
【発明の効果】
【００１７】
本発明は、背当て布を自分ひとりで着装することができる。
【００１８】
本発明は、背当て布が落下することを防止ができる。
【００１９】
本発明は、ずれに対応する修復機構により背当て布を全面的に展開することができる。よって、背当て布を着装するときや、背当て布が後方ないし左右にずれたり、あるいは背中の中央へ収斂するなどして背中を全面的にカバーできない状態になったときに、上着や下着を身につけた状態でも修復することができる。
【図面の簡単な説明】
【００２０】
【図１】本発明に係り、背当て布の一例を示す正面図である。
【図２】本発明に係り、背当て布の実施状態（紐を引いた状態）を示す上面図である。
【図３】本発明に係り、背当て布の実施状態（紐を緩めた状態）を示す上面図である。
【発明を実施するための形態】
【００２１】
以下、本発明について図面を参照して詳細に説明する。なお、この実施の形態によりこの発明が限定されるものではない。
【００２２】
図１は、背当て布を示す正面図である。紐４０が背当て布１０の上辺１１の左右の先端１２に引寄せ中継具２０を通って繋げられている。芯３０は上辺１１で紐４０が固定されている先端１２と引寄せ中継具２０の立ち上り地点の間に配置されている。  
【００２３】
図２は、背当て布の実施状態（紐を引いた状態）を示す上面図である。背当て布１０を着装するときや、背当て布１０が後方ないし左右にずれていたり、背中中央へ収斂していたとき、紐４０が上半身６０の前方へ引かれた状態を示している。そのとき第一の修復として、背当て布１０の上辺１１は、引寄せ中継具２０を介して首５０の後部に接触するまで引寄せられる。同時に第二の修復として、柔軟な芯３０は引寄せ中継具２０の前部と後部の間で引き絞られ、屈曲した状態で、背当て布１０の先端１２を中継具２０まで引寄せている。
【００２４】
図３は、背当て布の実施状態（紐を緩めた状態）を示す上面図である。紐４０が緩められたことにより復元性のある芯３０は直線状に伸展した状態を示している。紐４０が緩められたとき、第三の修復として、引き寄せられた先端１２が芯３０に伴われて左右に開くことで、両肩の上で広がった背当て布１０は広く背中をカバーする。
【００２５】
図２および図３が示すように、背当て布１０の着装やずれの修復にかかわる操作は、紐４０を首もとから前方へ引いて戻せば完了する。そのため、上着や下着を身につけた状態で操作ができる。尚、背当て布１０取り去るときは、紐４０を首５０から外して、上辺１１をつかんで襟首から抜き取ることになる。
【産業上の利用可能性】
【００２６】
本発明は簡素な仕組みで背中の汗を吸収し、着衣の状態で必要操作を実施できて便利なため、広く利用される可能性がある。
【符号の説明】
【００２７】
１０  背当て布
１１  上辺
１２  先端
２０  引寄せ中継具
３０  芯
４０  紐  
５０  首  
６０  上半身
【要約】
【課題】発汗により背中の下着を濡らすことを回避するために、簡素で便利な背当て布を実現すること。
【解決手段】自分ひとりで着装でき、落下を防止し、ずれが発生したとき、着衣の状態で容易に修復できる背当て布を提供する。
【選択図】図１【図１】
0005827435.tif 000002
【図２】
0005827435.tif 000003
【図３】
0005827435.tif 000004